(57)【要約】【課題】電子機器に内蔵された二次電池を充電する際に、電子機器の筐体表面に現れる温度上昇をより効果的に抑制することができる充電回路を提供する。【解決手段】互いに離間して設けられ、出力側がともに二次電池に接続され、出力電流を充電電流として二次電池に供給する複数のトランジスタ１，２と、複数のトランジスタ１，２に電流を供給する電流供給部３と、複数のトランジスタ１，２のうちの少なくとも１つのトランジスタ２の近傍に設けられ、温度を測定する温度検出素子４と、温度検出素子４が測定した温度が所定値未満である場合に、複数のトランジスタ１，２の出力電流を同じにし、温度検出素子４が測定した温度が所定値以上である場合に、温度検出素子４の近傍に設けられているトランジスタ２の出力電流を他のトランジスタ１の出力電流よりも低下させる充電制御部５とを備える。【選択図】図７
2010016998.tif 000002
【特許請求の範囲】
【請求項１】
互いに離間して設けられ、出力側がともに二次電池に接続され、出力電流を充電電流として二次電池に供給する複数のトランジスタと、
前記複数のトランジスタに電流を供給する電流供給部と、
前記複数のトランジスタのうちの少なくとも１つのトランジスタの近傍に設けられ、温度を測定する温度検出素子と、
前記温度検出素子が測定した温度が所定値未満である場合に、前記複数のトランジスタの出力電流を同じにし、前記温度検出素子が測定した温度が所定値以上である場合に、前記温度検出素子の近傍に設けられているトランジスタの出力電流を他のトランジスタの出力電流よりも低下させる充電制御部とを備えた
ことを特徴とする充電回路。
【請求項２】
充電制御部は、あらかじめ決められている閾値と温度検出素子が出力する温度を示すデータとを比較することによって、前記温度検出素子が測定した温度が所定値未満であるか否か判定する
請求項１記載の充電回路。
【請求項３】
電流供給部に電流供給開始を指令するマイクロコンピュータを備え、
充電制御部は、前記マイクロコンピュータで実現されている
請求項１または請求項２記載の充電回路。
【請求項４】
電流供給部に電流供給開始を指令するマイクロコンピュータを備え、
充電制御部は、前記マイクロコンピュータ以外の回路で実現されている
請求項１または請求項２記載の充電回路。
【請求項５】
複数のトランジスタは、バイポーラトランジスタであり、
充電制御部は、バイポーラトランジスタのベース電流を制御することによってトランジスタの出力電流を制御する
請求項１から請求項４のうちのいずれか１項に記載の充電回路。
【請求項６】
充電回路を内蔵した電子機器であって、
前記充電回路は、
互いに離間して設けられ、出力側がともに二次電池に接続され、出力電流を充電電流として二次電池に供給する複数のトランジスタと、
前記複数のトランジスタに電流を供給する電流供給部と、
前記複数のトランジスタのうちの少なくとも１つのトランジスタの近傍に設けられ、温度を測定する温度検出素子と、
前記温度検出素子が測定した温度が所定値未満である場合に、前記複数のトランジスタの出力電流を同じにし、前記温度検出素子が測定した温度が所定値以上である場合に、前記温度検出素子の近傍に設けられているトランジスタの出力電流を他のトランジスタの出力電流よりも低下させる充電制御部とを含む
ことを特徴とする電子機器。
【請求項７】
充電制御部は、あらかじめ決められている閾値と温度検出素子が出力する温度を示すデータを比較することによって、前記温度検出素子が測定した温度が所定値未満であるか否か判定する
請求項６記載の電子機器。
【請求項８】
出力側がともに二次電池に接続され、出力電流を充電電流として二次電池に供給する複数のトランジスタを互いに離間して設け、
前記複数のトランジスタのうちの少なくとも１つのトランジスタの近傍に温度検出素子を設置し、
前記温度検出素子によって測定された温度が所定値未満である場合に、前記複数のトランジスタの出力電流を同じにし、前記温度検出素子によって測定された温度が所定値以上である場合に、前記温度検出素子の近傍に設けられているトランジスタの出力電流を他のトランジスタの出力電流よりも低下させる
ことを特徴とする充電方法。
【請求項９】
あらかじめ決められている閾値と温度検出素子によって測定された温度を示すデータとを比較することによって、測定した温度が所定値未満であるか否か判定する
請求項８記載の充電方法。
【発明の詳細な説明】
【技術分野】
【０００１】
本発明は、電子機器に内蔵された内蔵電池を充電する際に使用される充電回路、充電回路を備えた電子機器および充電方法に関する。
【背景技術】
【０００２】
携帯電話機、ＰＨＳ（Ｐｅｒｓｏｎａｌ  Ｈａｎｄｙｐｈｏｎｅ  Ｓｙｓｔｅｍｓ）、ＰＤＡ（Ｐｅｒｓｏｎａｌ  Ｄｉｇｉｔａｌ  Ａｓｓｉｓｔａｎｔｓ）または携帯用音楽再生機器などの携帯用電子機器には、リチウムイオン電池などの二次電池が電源として内蔵されている。二次電池を電源として動作する電子機器では、電子機器の電源スイッチがオンしているときには、電子機器に内蔵されている二次電池の残存容量が自動的に表示部に表示される。ユーザは、二次電池の残存容量がないことを認識した場合、または少ないことを認識した場合には、電子機器に充電装置（外部電源装置）を装着する。電子機器に内蔵される充電回路は、充電装置からの充電電流によって二次電池に電荷を蓄積することによって二次電池を充電する（例えば、特許文献１参照）。
【０００３】
図８は、特許文献１に記載された携帯電話機における二次電池を充電するときに動作する回路構成の一例を示すブロック図である。ＡＣアダプタ１０１は、コンセント１００を介して供給された交流電源（例えば、商用電源）を所定の電圧値の直流電圧に変換するもので、二次電池を電源とする電子機器が内蔵する二次電池を充電するときに使用される。携帯電話機１４０は、充電回路が設けられた電子機器の一例である。パワーマネジメントＩＣ１４２は、ＡＣアダプタ１０１から供給された直流電源を、携帯電話機１４０内部で使用可能な電圧に変換したり、携帯電話機１４０が省電力モードに移行した際に電圧出力を停止したりする。充電制御部１４３は、ＣＰＵ１０６からの命令に従って、トランジスタ１０４を制御し、二次電池１０５の容量に対応した定電流充電によって二次電池１０５を充電し、二次電池１０５の電圧が満充電電圧に到達した場合は充電を停止する。トランジスタ１０４は、充電制御部１４３に制御され、充電電流を二次電池１０５に供給する。また、パワーマネジメントＩＣ１４２、トランジスタ１０４、およびＣＰＵ１０６は、図示しないプリント配線板上に実装されている。以上の構成からなるシステムによって、携帯電話機１４０の二次電池を充電する機能が実現される。
【０００４】
二次電池を充電する際に、充電制御部１４３がトランジスタ１０４を介して充電電流や充電電圧を制御するが、［（ＡＣアダプタ１０１の電圧−充電電圧）×充電電流］に相当する電力が、トランジスタ１０４から熱として放出される。トランジスタ１０４から放出される熱は、プリント配線板を伝導し、携帯電話機１４０の筐体の表面温度を局所的に上昇させる。局所的に上昇した筐体の表面温度は、トランジスタ１０４の表面における温度よりは低いが、ユーザが長時間筐体に触れている状態が続く場合には、ユーザに不快感を与える程度に上昇するおそれがある。また、局所的に発熱する箇所があることによって、携帯電話機１４０の内部を構成する各部品の劣化を進めることも考えられる。
【０００５】
特許文献１では、充電時の充電回路上の発熱源のひとつであるトランジスタを複数個とする充電回路が提案されている。トランジスタを複数個にして、充電電流を均等に分けることによって、充電時の発熱源が分散するとともに発熱源１個あたりの発熱が抑えられる。すなわち、熱は、トランジスタが１個の場合に比べて、拡散して筐体の表面における広い範囲に伝導することになり、結果として、局所的な筐体の表面温度の上昇を抑制する。
【０００６】
【特許文献１】特開２００８−５４４２９（要約書、図１）
【発明の開示】
【発明が解決しようとする課題】
【０００７】
しかし、トランジスタが実装されたプリント配線板上にはトランジスタ以外にも発熱源があることが一般的である。例えば、いずれかのトランジスタの近傍に発熱する集積回路が実装されていた場合には、当該トランジスタ付近の発熱量は他方のトランジスタ付近の発熱量よりも多くなる。その場合、当該トランジスタから近い筐体における表面温度は、局所的に上昇する可能性がある。
【０００８】
そこで、本発明は、電子機器に内蔵された二次電池を充電する際に、電子機器の筐体表面に現れる温度上昇をより効果的に抑制することができる充電回路、充電回路が設けられた電子機器および充電方法を提供することを目的とする。
【課題を解決するための手段】
【０００９】
本発明による充電回路は、互いに離間して設けられ、出力側がともに二次電池に接続され、出力電流を充電電流として二次電池に供給する複数のトランジスタと、複数のトランジスタに電流を供給する電流供給部と、複数のトランジスタのうちの少なくとも１つのトランジスタの近傍に設けられ、温度を測定する温度検出素子と、温度検出素子が測定した温度が所定値未満である場合に、複数のトランジスタの出力電流を同じにし、温度検出素子が測定した温度が所定値以上である場合に、温度検出素子の近傍に設けられているトランジスタの出力電流を他のトランジスタの出力電流よりも低下させる充電制御部とを備えることを特徴とする。
【００１０】
本発明による充電回路を内蔵した電子機器は、互いに離間して設けられ、出力側がともに二次電池に接続され、出力電流を充電電流として二次電池に供給する複数のトランジスタと、複数のトランジスタに電流を供給する電流供給部と、複数のトランジスタのうちの少なくとも１つのトランジスタの近傍に設けられ、温度を測定する温度検出素子と、温度検出素子が測定した温度が所定値未満である場合に、複数のトランジスタの出力電流を同じにし、温度検出素子が測定した温度が所定値以上である場合に、前記温度検出素子の近傍に設けられているトランジスタの出力電流を他のトランジスタの出力電流よりも低下させる充電制御部とを備えた充電回路を含むことを特徴とする。
【００１１】
本発明による充電方法は、出力側がともに二次電池に接続され、出力電流を充電電流として二次電池に供給する複数のトランジスタを互いに離間して設け、複数のトランジスタのうちの少なくとも１つのトランジスタの近傍に温度検出素子を設置し、温度検出素子によって測定された温度が所定値未満である場合に、複数のトランジスタの出力電流を同じにし、温度検出素子によって測定された温度が所定値以上である場合に、温度検出素子の近傍に設けられているトランジスタの出力電流を他のトランジスタの出力電流よりも低下させることを特徴とする。
【発明の効果】
【００１２】
本発明によれば、電子機器に内蔵された二次電池を充電する際に、電子機器の筐体表面に現れる温度上昇をより効果的に抑制することができる充電回路、充電回路が設けられた電子機器および充電方法を提供することができる。
【発明を実施するための最良の形態】
【００１３】
実施形態１．
図１は、本発明による充電回路の第１の実施形態（実施形態１）を充電回路の周辺回路とともに示すブロック図である。本実施形態の充電回路は、電子機器の一例としての携帯電話機１１０に内蔵されている。
【００１４】
二次電池１０５は、例えばリチウムイオン電池である。また、パワーマネジメントＩＣ１０２、トランジスタ１０４、ＣＰＵ１０６および温度センサ１０７は、プリント配線板（図示せず）に実装されている。
【００１５】
図２は、図１に示された充電回路等が搭載された携帯電話機１１０を示す正面図である。携帯電話機１１０は、折り畳み形の携帯電話機であり、筐体１１１（下部筐体）と筐体１１２（上部筐体）とがヒンジ部１１３で接続される構成になっている。なお、本発明の実施形態の説明における「筐体」は、特定の記述がない限りは、下部筐体および上部筐体を含むものであるとする。
【００１６】
筐体１１１および筐体１１２は、携帯電話機１１０の表面部分を覆う部品である。筐体１１１には、機能キー１１４および操作キー１１６が設けられている。筐体１１２には、ＬＣＤ１１５が設けられている。また、筐体１１１の内部の所定の位置に、図１に示されたパワーマネジメントＩＣ１０２、充電制御部１０３、トランジスタ１０４ａ、トランジスタ１０４ｂ、二次電池１０５、ＣＰＵ１０６、および温度センサ１０７が設置されている。ＣＰＵ１０６は、携帯電話機１１０に搭載されているマイクロコンピュータのＣＰＵである。
【００１７】
図３は、図１に示された携帯電話機１１０が閉じられた状態を示す正面図である。図４は、図１に示された携帯電話機１１０が閉じられた状態を示す背面図である。図４には、トランジスタ１０４ａ、トランジスタ１０４ｂおよび温度センサ１０７の筐体１１１内部における設置位置が破線で示されている。
【００１８】
図５は、図２および図４に示された携帯電話機１１０のＡ−Ａ断面を示す断面図である。筐体１１１の内部にはプリント配線板１２１が設置されている。図５に示す例では、トランジスタ１０４ａ、トランジスタ１０４ｂ、温度センサ１０７、およびＩＣ１２２がプリント配線板１２１に実装されている。トランジスタ１０４ａは、プリント配線板１２１において、周辺側に実装されている。トランジスタ１０４ｂは、プリント配線板１２１において、中央部に実装されている。温度センサ１０７およびＩＣ１２２は、トランジスタ１０４ｂの近傍に実装されている。ＩＣ１２２は、携帯電話機１１０における充電動作中に熱を発する部品であるとする。図５に示す例では、トランジスタ１０４ｂの周辺の方が、トランジスタ１０４ａの周辺よりも温度が高くなることが予想される。
【００１９】
ＡＣアダプタ１０１は、コンセント１００を介して供給された交流電源（例えば、商用電源）を所定の電圧値の直流電圧に変換する。ＡＣアダプタ１０１は、電子機器が内蔵する二次電池を充電するときに使用される。携帯電話機１１０は、パワーマネジメントＩＣ１０２、充電制御部１０３、トランジスタ１０４ａ、トランジスタ１０４ｂ、二次電池１０５、ＣＰＵ１０６および温度センサ１０７を備えている。
【００２０】
パワーマネジメントＩＣ１０２は、ＡＣアダプタ１０１から供給された直流電圧を、携帯電話機１１０内部で使用可能な電圧値の電圧に変換して携帯電話機１１０内の各部に出力し、携帯電話機１１０が省電力モードに移行したときには出力を停止する。また、パワーマネジメントＩＣ１０２は、二次電池１０５を充電するための充電制御部１０３を有している。
【００２１】
充電制御部１０３は、ＣＰＵ１０６からの充電制御信号に従って、二次電池１０５の容量に対応した定電流充電によって二次電池１０５を充電し、二次電池１０５の電圧が満充電電圧に到達した場合は充電を停止する。充電制御部１０３は、充電制御信号に従ってベース電流をトランジスタのベースに供給することによって、充電電流の流量を調整する。トランジスタ１０４ａ，１０４ｂは、バイポーラトランジスタ、具体的にはＮＰＮ型トランジスタである。トランジスタ１０４ａ，１０４ｂから供給される充電電流の合計が、二次電池１０５への充電電流になる。トランジスタ１０４ａのエミッタとトランジスタ１０４ｂのエミッタとには、パワーマネジメントＩＣ１０２における共通の出力端子から電流が供給される。
【００２２】
温度センサ１０７は、２つのトランジスタ１０４ａ、１０４ｂのうちのいずれかの近傍に設置され、設置個所における温度を検知し、検知した温度を示すデータをＣＰＵ１０６に出力する。第１の実施形態では、温度センサ１０７はトランジスタ１０４ｂの近傍に設置され、トランジスタ１０４ｂの近傍の温度を検知し、検知した温度を示すデータをＣＰＵ１０６に出力する。
【００２３】
ＣＰＵ１０６は、温度センサ１０７から入力したデータが示す温度が、あらかじめ決められている所定値（閾値）以上であるかどうかを判定し、判定結果に応じて充電制御部１０３に充電制御信号を出力する。第１の実施形態では、一例として、閾値を６０℃にする。閾値は、温度センサ１０７の近傍に設置されているトランジスタ１０４ｂの発熱を抑制すべきか否か判定するための値である。ＣＰＵ１０６は、温度センサ１０７から入力したデータが示す温度が６０℃以上であった場合に充電制御信号を充電制御部１０３に出力する。
【００２４】
充電制御部１０３は、充電制御信号が入力されると、トランジスタ１０４ｂから供給される充電電流がトランジスタ１０４ａから供給される充電電流より少なくなるように、トランジスタ１０４ａのベース電流およびトランジスタ１０４ｂのベース電流を設定する。充電制御信号が出力されていない場合には、充電制御部１０３は、トランジスタ１０４ａから供給される充電電流とトランジスタ１０４ｂから供給される充電電流とが等しくなるように充電制御信号を生成する。
【００２５】
次に、第１の実施形態の充電回路の動作を説明する。
【００２６】
コンセント１００に接続されているＡＣアダプタ１０１の出力端子が携帯電話機１１０の入力端子に接続されると、ＡＣアダプタ１０１から直流電流がパワーマネジメントＩＣ１０２に供給され、ＣＰＵ１０６の命令に基づいてパワーマネジメントＩＣ１０２によって二次電池１０５を充電する動作が開始される。
【００２７】
パワーマネジメントＩＣ１０２内にある充電制御部１０３は、ＣＰＵ１０６からの命令に従って、二次電池１０５の容量が満充電になるまで、二次電池１０５の容量に対応した定電流充電によって二次電池１０５を充電する。例えば、二次電池１０５の容量が８００ｍＡｈであるとすると、定電流充電時には８００ｍＡの定電流充電を行うことが望ましい。ＣＰＵ１０６が充電制御信号を出力していないときには、充電制御部１０３は、トランジスタ１０４ａとトランジスタ１０４ｂとのそれぞれが４００ｍＡの充電電流を出力するように、端子１０８ａを介してトランジスタ１０４ａのベース電流を設定し、端子１０８ｂを介してトランジスタ１０４ｂのベース電流を設定する。
【００２８】
トランジスタ１０４ａ，１０４ｂから、［（ＡＣアダプタ１０１の電圧−充電電圧）×充電電流］に相当する電力が熱となって放出されるが、トランジスタ１個の構成で同様の充電を行った場合に比べて、トランジスタ１個あたりに流れる充電電流が１／２となるので、トランジスタ１個あたりの発熱量は１／２になる。
【００２９】
トランジスタ１０４ａとトランジスタ１０４ｂとに同量の電流が流れるので、１個のトランジスタで充電を行う場合に比べて、トランジスタの発熱が分散される。
【００３０】
ここで、トランジスタ１０４ｂ近傍では、ＩＣ１２２も熱を発するので、温度センサ１０７が出力するデータが示す温度は、次第に上昇していく可能性がある。
【００３１】
温度センサ１０７が出力する温度を示すデータが６０℃以上を示す場合には、ＣＰＵ１０６は、充電制御信号を充電制御部１０３に出力する。充電制御部１０３は、充電制御信号が入力されると、トランジスタ１０４ａが５００ｍＡの充電電流を出力し、トランジスタ１０４ｂが３００ｍＡの充電電流を出力するように、端子１０８ａを介してトランジスタ１０４ａのベース電流を設定し、端子１０８ｂを介してトランジスタ１０４ｂのベース電流を設定する。
【００３２】
トランジスタ１０４ａ，１０４ｂから、［（ＡＣアダプタ１０１の電圧−充電電圧）×充電電流］に相当する電力が熱として放出されるが、トランジスタ１個の構成で同様の充電を行った場合に比べて、トランジスタ１０４ａに流れる電流が５／８になり、トランジスタ１０４ｂに流れる電流が３／８になるので、トランジスタ１０４ａの発熱量は、１０４ｂの発熱量よりも小さくなる。
【００３３】
その結果、温度上昇の程度が高いトランジスタ１０４ｂ近傍の発熱の程度を低下させることができる。
【００３４】
その後、充電制御部１０３は、端子１０８ｃおよび１０８ｄを介して二次電池１０５の電圧が満充電電圧に到達したことを検出すると、定電流充電を停止し、充電を停止する。
【００３５】
第１の実施形態では、２つのトランジスタ１０４ａ，１０４ｂを設けることによって発熱を分散することができ、さらに、発熱の程度が高いと想定される一方のトランジスタ１０４ｂの発熱の程度が高くなった場合には、そのトランジスタ１０４ｂに流れる電流を低下させることによって、トランジスタ１０４ｂ近傍の発熱の程度を低下させるので、筐体表面に現れる温度上昇を効果的に抑制することができる。
【００３６】
実施形態２．
図６は、本発明による充電回路の第２の実施形態（実施形態２）を充電回路の周辺回路とともに示すブロック図である。携帯電話機１３０の外観は、第１の実施形態の携帯電話機１１０の外観と同じである。
【００３７】
第１の実施形態の場合と同様に温度センサ１０７はトランジスタ１０４ｂの近傍に設置されるが、第２の実施形態では、温度センサ１０７が出力する温度を示すデータは比較回路１０９に入力される。
【００３８】
比較回路１０９は、温度センサ１０７が出力するデータが示す温度結果を入力として、所定の比較判定処理を行う回路である。第２の実施形態では、比較回路１０９は、温度を示すデータを、一例としての閾値６０℃を示すデータと比較する比較判定処理を行う。閾値は、温度センサ１０７の近傍に設置されているトランジスタ１０４ｂの発熱量を抑制すべきか否か判定するための値である。比較回路１０９は、温度センサ１０７から入力したデータが６０℃以上を示すデータであった場合に充電制御信号を充電制御部１０３に出力する。なお、比較回路１０９は、パワーマネジメントＩＣ１０２内に設けられていてもよい。
【００３９】
次に、第２の実施形態の充電回路の動作を説明する。
【００４０】
コンセント１００に接続されているＡＣアダプタ１０１の出力端子が携帯電話機１１０の入力端子に接続されると、ＡＣアダプタ１０１から直流電流がパワーマネジメントＩＣ１０２に供給され、ＣＰＵ１０６の命令に従ってパワーマネジメントＩＣ１０２によって二次電池１０５を充電する動作が開始される。
【００４１】
パワーマネジメントＩＣ１０２内にある充電制御部１０３は、ＣＰＵ１０６からの命令に従って、二次電池１０５の容量が満充電になるまで、二次電池１０５の容量に対応した定電流充電によって二次電池１０５を充電する。例えば、二次電池１０５の容量が８００ｍＡｈであるとすると、定電流充電時には８００ｍＡの定電流充電を行うことが望ましい。比較回路１０９が充電制御信号を出力していないときには、充電制御部１０３は、トランジスタ１０４ａとトランジスタ１０４ｂとのそれぞれが４００ｍＡの充電電流を出力するように、端子１０８ａを介してトランジスタ１０４ａのベース電流を設定し、端子１０８ｂを介してトランジスタ１０４ｂのベース電流を設定する。
【００４２】
トランジスタ１０４ａ，１０４ｂから、［（ＡＣアダプタ１０１の電圧−充電電圧）×充電電流］に相当する電力が熱となって放出されるが、トランジスタ１個の構成で同様の充電を行った場合に比べて、トランジスタ１個あたりに流れる充電電流が１／２となるので、トランジスタ１個あたりの発熱量は１／２になる。
【００４３】
トランジスタ１０４ａとトランジスタ１０４ｂとに同量の電流が流れるので、１個のトランジスタで充電を行う場合に比べて、トランジスタの発熱が分散される。
【００４４】
トランジスタ１０４ｂ近傍では、ＩＣ１２２も熱を発するので、温度センサ１０７が出力するデータが示す温度は、次第に上昇していく可能性がある。
【００４５】
温度センサ１０７が出力する温度を示すデータが６０℃以上を示す場合には、比較回路１０９は、充電制御信号を充電制御部１０３に出力する。充電制御部１０３は、充電制御信号が入力されると、トランジスタ１０４ａが５００ｍＡの充電電流を出力し、トランジスタ１０４ｂが３００ｍＡの充電電流を出力するように、端子１０８ａを介してトランジスタ１０４ａのベース電流を設定し、端子１０８ｂを介してトランジスタ１０４ｂのベース電流を設定する。
【００４６】
トランジスタ１０４ａ，１０４ｂから、［（ＡＣアダプタ１０１の電圧−充電電圧）×充電電流］に相当する電力が熱として放出されるが、トランジスタ１個の構成で同様の充電を行った場合に比べて、トランジスタ１０４ａに流れる電流が５／８になり、トランジスタ１０４ｂに流れる電流が３／８になるので、トランジスタ１０４ａの発熱量は、１０４ｂの発熱量よりも小さくなる。
【００４７】
その結果、温度上昇の程度が高いトランジスタ１０４ｂ近傍の発熱の程度を低下させることができる。
【００４８】
その後、充電制御部１０３は、端子１０８ｃおよび１０８ｄを介して二次電池１０５の電圧が満充電電圧に到達したことを検出すると、定電流充電を停止し、充電を停止する。
【００４９】
第２の実施形態でも、２つのトランジスタ１０４ａ，１０４ｂを設けることによって発熱を分散することができ、さらに、発熱の程度が高いと想定される一方のトランジスタ１０４ｂの発熱の程度が高くなった場合には、そのトランジスタ１０４ｂに流れる電流を低下させることによって、トランジスタ１０４ｂ近傍の発熱の程度を低下させるので、筐体表面に現れる温度上昇を効果的に抑制することができる。また、第２の実施形態では、ＣＰＵ１０６の外部に設けられた比較回路１０９が比較判定処理を実行するので、筐体の温度上昇を抑制するための制御に関して、プログラム量を増大させない。
【００５０】
なお、上記の各実施形態では、トランジスタ１０４ａ，１０４ｂのベース電流の電流値を制御することによって充電電流を制御したが、スイッチング素子として機能するトランジスタ１０４ａ，１０４ｂを用い、トランジスタ１０４ａ，１０４ｂのベースを介してオン／オフ制御することによって充電電流を制御してもよい。例えば、充電電流を低下させる場合には、オフ期間を長くする。
【００５１】
また、上記の各実施形態では、トランジスタ１０４ａ、トランジスタ１０４ｂおよび温度センサ１０７は、パワーマネジメントＩＣ１０２の外部に設けられていたが、これらの素子の一部または全部がパワーマネジメントＩＣ１０２に集積化されていてもよい。また、トランジスタ１０４ａおよびトランジスタ１０４ｂとして、バイポーラトランジスタを用いたが、電流調整機能またはスイッチング機能を有する素子として充電回路に搭載可能なその他の半導体素子で実現してもよい。その他の半導体素子として、例えば、電界効果トランジスタ（ＦＥＴ：Ｆｉｅｌｄ  Ｅｆｆｅｃｔ  Ｔｒａｎｓｉｓｔｏｒ）やユニポートトランジスタが考えられる。
【００５２】
また、上記の各実施形態では、１つの温度センサ１０７が一方のトランジスタ１０４ｂの近傍に設置されたが、トランジスタ１０４ａ，１０４ｂのそれぞれの近傍に温度センサを設置してもよい。その場合には、いずれかの温度センサが閾値以上の温度を検出した場合に、その温度センサに対応する方のトランジスタからの充電電流を低下させる。
【００５３】
また、上記の各実施形態では、プリント配線板において二次電池１０５を充電するための２つのトランジスタが離間して設けられていたが、３つ以上のトランジスタがプリント配線板において離間して設けられていてもよい。
【００５４】
図７は、本発明による充電回路の主要構成を示すブロック図である。図７に示すように、充電回路は、互いに離間して設けられ、出力側がともに二次電池に接続され、出力電流を充電電流として二次電池に供給する複数のトランジスタ１，２（図１におけるトランジスタ１０４ａ，１０４ｂに相当）と、複数のトランジスタ１，２に電流を供給する電流供給部３（図１における充電制御部１０３の一部に相当）と、複数のトランジスタ１，２のうちの少なくとも１つのトランジスタ２の近傍に設けられ、温度を測定する温度検出素子４（図１における温度センサ１０７に相当）と、温度検出素子４が測定した温度が所定値未満である場合に、複数のトランジスタ１，２の出力電流を同じにし、温度検出素子４が測定した温度が所定値以上である場合に、温度検出素子４の近傍に設けられているトランジスタ２の出力電流を他のトランジスタ１の出力電流よりも低下させる充電制御部５（図１における充電制御部１０３の一部に相当）とを備えたことを特徴とする。
【産業上の利用可能性】
【００５５】
本発明は、二次電池を備えた携帯電話機などの電子機器に好適に適用される。
【図面の簡単な説明】
【００５６】
【図１】本発明による充電回路の第１の実施形態を周辺回路とともに示すブロック図である。
【図２】図１に示された充電回路等が搭載される携帯電話機を示す正面図である。
【図３】図１に示された携帯電話機が閉じられた状態を示す正面図である。
【図４】図１に示された携帯電話機が閉じられた状態を示す背面図である。
【図５】図２および図４に示された携帯電話機のＡ−Ａ断面を示す断面図である。
【図６】本発明による充電回路の第２の実施形態を周辺回路とともに示すブロック図である。
【図７】本発明による充電回路の主要構成を示すブロック図である。
【図８】特許文献１に記載された携帯電話機における二次電池を充電するときに動作する回路構成の一例を示すブロック図である。
【符号の説明】
【００５７】
１，２  トランジスタ
３      電流供給部
４      温度検出素子
５      充電制御部
１００  コンセント
１０１  ＡＣアダプタ
１０２，１４２  パワーマネジメントＩＣ
１０３，１４３  充電制御部
１０４，１０４ａ，１０４ｂ  トランジスタ
１０５  二次電池
１０６  ＣＰＵ
１０７  温度センサ
１０８ａ，１０８ｂ，１０８ｃ，１０８ｄ  端子
１０９  比較回路
１１０，１３０，１４０  携帯電話機
１１１  筐体（下部筐体）
１１２  筐体（上部筐体）
１１３  ヒンジ部
１１４  機能キー
１１５  ＬＥＤ
１１６  操作キー
１２１  プリント配線板
１２２  ＩＣ
【図１】
2010016998.tif 000003
【図２】
2010016998.tif 000004
【図３】
2010016998.tif 000005
【図４】
2010016998.tif 000006
【図５】
2010016998.tif 000007
【図６】
2010016998.tif 000008
【図７】
2010016998.tif 000009
【図８】
2010016998.tif 000010